(57)【要約】【課題】ハウジング本体とアウター部とを強固に係止することができるコネクタを提供する。【解決手段】アウターハウジング２０が、インナーハウジング１０の装着方向Ｙ２と反対側を覆う底面カバー部２３と、該底面カバー部２３の雌型端子の挿入方向Ｙ１とは反対側の端部に設けられた本係止位置でインナーハウジング１０を係止する係止部２３Ａと、を有する。アウターハウジング２０が、インナーハウジング１０の直交方向Ｙ３を挟む一対の側面カバー部２５と、を有している。【選択図】図１
2008171626.tif 000002
【特許請求の範囲】
【請求項１】
（Ａ）端子収容室及び該端子収容室に収容された端子を係止する端子係止ランスを有するハウジング本体、並びに、
（Ｂ）前記端子の挿入方向と直交する装着方向から前記ハウジング本体に装着されると共に前記端子収容室に対する前記端子の挿入を許可する仮係止位置と前記端子を係止して前記端子収容室からの抜けを防止する本係止位置との双方の位置で前記ハウジング本体に係止されるスペーサ部が形成されたアウター部、を備えたコネクタにおいて、
前記アウター部が、前記ハウジング本体の前記装着方向と反対側を覆う底面カバー部と、該底面カバー部の前記端子の挿入方向とは反対側の端部に設けられた前記仮係止位置及び／又は前記本係止位置で前記ハウジング本体を係止する係止部と、を有することを特徴とするコネクタ。
【請求項２】
前記ハウジング本体が、前記装着方向側に設けられた相手コネクタを係止するロックアームを有することを特徴とする請求項１に記載のコネクタ。
【請求項３】
前記アウター部が、前記ハウジング本体の前記装着方向及び前記挿入方向の両方向とは直交する方向を挟む一対の側面カバー部と、前記一対の側面カバー部の外側面に設けられた膨出部と、前記一対の側面カバー部の内側面の前記膨出部と対向する部分に前記装着方向に沿うように設けたガイド溝とを有し、
前記ハウジング本体が、前記ガイド溝に嵌合されるガイド突部とを有していることを特徴とする請求項１又は２に記載のコネクタ。
【発明の詳細な説明】
【技術分野】
【０００１】
本発明は、コネクタに係り、特に、端子を一次係止する端子係止ランスを有するコネクタハウジングと、端子の挿入方向と直交する方向から該コネクタハウジング内に装着され、端子を二次係止するスペーサとを備えたコネクタに関するものである。
【背景技術】
【０００２】
上述したコネクタとしては、例えば図８に示すようなコネクタが提案されている（例えば特許文献１、特許文献２）。同図に示すように、コネクタは、コネクタハウジング１００（＝ハウジング本体）と、リテーナ２００（＝アウター部）との２部品から構成されている。コネクタハウジング１００は、キャビティ１０１（＝端子収容室）、図示しないランス（＝端子係止ランス）及びロックアーム１０２とを有している。ランスは、キャビティ１０１に収容された雌型端子３００を係止するものである。
【０００３】
リテーナ２００は、底壁部２０１（＝底面カバー部）と、４枚の隔壁部２０２と、前壁部２０３とが一体に形成されている。リテーナ２００は、雌型端子３００の挿入方向Ｙ１と直交する装着方向Ｙ２からコネクタハウジング１００に装着される。底壁部２０１は、コネクタハウジング１００の装着方向Ｙ２とは反対側を覆う。
【０００４】
隔壁部２０２は、キャビティ１０１内の雌型端子３００の挿入を許可する仮係止位置でコネクタハウジング１００と係止する仮係止突起２０４が設けられている。隔壁部２０２は、二重係止部２０５が各キャビティ１０１内に突出して雌型端子３００のスタビライザー３０１の後端に係止する本係止位置でコネクタハウジング１００と係止する本係止突起２０６が設けられている。前壁部２０３は、コネクタハウジング１００の雌型端子３００の挿入方向Ｙ１側を覆い、キャビティ１０１に連通する雄型端子挿入孔としてのタブ挿入孔２０７が設けられている。
【特許文献１】特開平１０−２８９７４７号公報
【特許文献２】特開２００１−３２６０１１号公報
【発明の開示】
【発明が解決しようとする課題】
【０００５】
上述したコネクタハウジング１００とリテーナ２００との係止は、隔壁部２０２に設けた仮係止突起２０４、本係止突起２０６でしか行っていないため弱い。底壁部２０１を底面として車両内に配置すると、例えば重力などによって雌型端子３００の電線３０２に装着方向Ｙ２の反対側に引っ張られる力が加えられる。そして、この電線３０２によって底壁部２０１の挿入方向Ｙ１とは反対側の端部に装着方向Ｙ２と反対側に引っ張られる力が加わり、コネクタハウジング１００とリテーナ２００との係止が外れてしまうという問題があった。
【０００６】
そこで、本発明は、上記のような問題点に着目し、ハウジング本体とアウター部とを強固に係止することができるコネクタを提供することを課題とする。
【課題を解決するための手段】
【０００７】
上記課題を解決するためになされた請求項１記載の発明は、端子収容室及び該端子収容室に収容された端子を係止する端子係止ランスを有するハウジング本体、並びに、前記端子の挿入方向と直交する装着方向から前記ハウジング本体に装着されると共に前記端子収容室に対する前記端子の挿入を許可する仮係止位置と前記端子を係止して前記端子収容室からの抜けを防止する本係止位置との双方の位置で前記ハウジング本体に係止されるスペーサ部が形成されたアウター部、を備えたコネクタにおいて、前記アウター部が、前記ハウジング本体の前記装着方向と反対側を覆う底面カバー部と、該底面カバー部の前記端子の挿入方向とは反対側の端部に設けられた前記仮係止位置及び／又は前記本係止位置で前記ハウジング本体を係止する係止部と、を有することを特徴とするコネクタに存する。
【０００８】
請求項１記載の発明によれば、底面カバー部の端子の挿入方向とは反対側の端部にハウジング本体を係止する係止部を設けているので、端子に接続された電線によって底面カバー部の端子の挿入方向とは反対側の端部に離脱方向の力を加えられたとしても、係止が外れにくい。しかも、底面カバー部に係止部を設けることにより、係止部の装着方向の厚みを確保することができるため、より係止を外れにくくすることができる。
【０００９】
請求項２記載の発明は、前記ハウジング本体が、前記装着方向側に設けられた相手コネクタを係止するロックアームを有することを特徴とする請求項１に記載のコネクタに存する。
【００１０】
請求項２記載の発明によれば、ハウジング本体が、装着方向側に設けられた相手コネクタを係止するロックアームを有するので、ロックアームが設けられている装着方向側を上側に向け、底面カバー部を底面として配置すれば、重力などによって端子に接続された電線によって底面カバー部の端子の挿入方向とは反対側の端部に離脱方向の力を加えられたとしても、係止が外れにくい。
【００１１】
請求項３記載の発明は、前記アウター部が、前記ハウジング本体の前記装着方向及び前記挿入方向の両方向とは直交する方向を挟む一対の側面カバー部と、前記一対の側面カバー部の外側面に設けられた膨出部と、前記一対の側面カバー部の内側面の前記膨出部と対向する部分に前記装着方向に沿うように設けたガイド溝とを有し、前記ハウジング本体が、前記ガイド溝に嵌合されるガイド突部とを有していることを特徴とする請求項１又は２に記載のコネクタに存する。
【００１２】
請求項３記載の発明によれば、アウター部が、ハウジング本体の装着方向及び挿入方向の両方向とは直交する方向を挟む一対の側面カバー部と、を有しているので、装着方向と反対側、即ち電線が垂れ下がっている側にアウター部とカバー部との隙間が設けられることがないため、この隙間に電線が入り込み係止が解除される恐れがない。また、アウター部が、一対の側面カバー部の外側面に設けられた膨出部と、一対の側面カバー部の内側面の膨出部と対向する部分に装着方向に沿うように設けたガイド溝とを有し、ハウジング本体が、ガイド溝に嵌合されるガイド突部とを有しているので、ガイド溝がガイド突起に沿うようにアウター部をハウジング本体に装着することによりアウター部とハウジング本体との逆組付、組付けのズレを防止することができる。さらに、膨出部と対向する部分にガイド溝を設けることにより、装着作業を容易にしつつガイド溝の深さを確保することができる。
【発明の効果】
【００１３】
以上説明したように請求項１記載の発明によれば、端子に接続された電線によって底面カバー部の端子の挿入方向とは反対側の端部に離脱方向の力を加えられたとしても、係止が外れにくい。しかも、底面カバー部に係止部を設けることにより、係止部の装着方向の厚みを確保することができるため、より係止を外れにくくすることができるので、ハウジング本体とアウター部とを強固に係止することができる。
【００１４】
請求項２記載の発明によれば、ロックアームが設けられている装着方向側を上側に向け、底面カバー部を底面として配置すれば、重力などによって端子に接続された電線によって底面カバー部の端子の挿入方向とは反対側の端部に離脱方向の力を加えられたとしても、係止が外れにくいので、より一層、ハウジング本体とアウター部とを強固に係止することができる。
【００１５】
請求項３記載の発明によれば、装着方向と反対側、即ち電線が垂れ下がっている側にアウター部とカバー部との隙間が設けられることがないため、この隙間に電線が入り込み係止が解除される恐れがないので、より一層、ハウジング本体とアウター部とを強固に係止することができる。また、ガイド溝がガイド突起に沿うようにアウター部をハウジング本体に装着することによりアウター部とハウジング本体との逆組付、組付けのズレを防止することができる。さらに、膨出部と対向する部分にガイド溝を設けることにより、装着作業を容易にしつつガイド溝の深さを確保することができる。
【発明を実施するための最良の形態】
【００１６】
以下、本発明の一実施の形態を図面に基づいて説明する。図１は、本発明のコネクタのインナーハウジングとアウターハウジングとを示す分解斜視図である。図２は、仮係止位置における図１に示すコネクタの背面図である。図３は、図２のＩＩＩ−ＩＩＩ線断面図である。図４は、図２のＩＶ−ＩＶ線断面図である。図５は、本係止位置における図１に示すコネクタの背面図である。図６は、図５のＶＩ−ＶＩ線断面図である。図７は、図５のＶＩＩ−ＶＩＩ線断面図である。
【００１７】
同図に示すように、このコネクタは、図１に示すように、合成樹脂製のインナーハウジング１０（＝ハウジング本体）と、合成樹脂製のアウターハウジング２０（＝アウター部）とを有している。インナーハウジング１０には、装着方向Ｙ２に沿って二段に各々１２個づつの端子収容室１１が設けられている。上記端子収容室１１には、雌型端子挿入孔１２から挿入方向Ｙ１に向かって図示しない雌型端子が挿入されて収容される。アウターハウジング２０は、挿入方向Ｙ１と直交する装着方向Ｙ２からインナーハウジング１０に装着する。
【００１８】
上述したインナーハウジング１０は、略箱型であり、嵌合溝１３と、ロックアーム１４と、一対の左右側面１５と、ガイド突部１６と、本係止突起１７が形成されている。嵌合溝１３は、インナーハウジング１０の挿入方向Ｙ１中間に設けられている。嵌合溝１３は、挿入方向Ｙ１及び装着方向Ｙ２の両方と直交する直交方向Ｙ３に延在し、後述するアウターハウジング２０のスペーサ部２１が嵌め込まれる。ロックアーム１４は、インナーハウジング１０の装着方向Ｙ２側に設けられている。ロックアーム１４は、相手側コネクタハウジング（図示せず）を係止する。
【００１９】
一対の左右側面１５は、直交方向Ｙ３に対向するように設けられている。この一対の左右側面１５間に端子収容室１１が設けられている。左右側面１５の外側には各々、アウターハウジング２０の仮係止溝２２Ａ及び本係止溝２２Ｂと係止する係止突起１８が形成されている。
【００２０】
ガイド突部１６は、上記左右側面１５の外側に直交方向Ｙ３に向かって突出するように設けられている。ガイド突部１６は、図４及び図７に示すように、後述するアウターハウジング２０のガイド溝２６に装着方向Ｙ２にスライド可能に嵌合されるように装着方向Ｙ２に沿って設けられている。
【００２１】
インナーハウジング１０はまた、各端子収容室１１内に突出するように設けられた図示しない可撓性の端子係止ランス（以下係止ランス）を備えている。係止ランスは、嵌合溝１３よりも挿入方向Ｙ１側に設けられている。係止ランスは、端子収容室１１内に収容された雌型端子を係止する。係止ランスは、挿入方向Ｙ１側が自由端となる片持ち状に形成され、その自由端が装着方向Ｙ２に可撓に設けられている。
【００２２】
本係止突起１７は、インナーハウジング１０の装着方向Ｙ２とは反対側かつ挿入方向Ｙ１とは反対側の端部に設けられている。本係止突起１７は、装着方向Ｙ２の反対側に向かって突出するように設けられている。本係止突起１７の挿入方向Ｙ１側には、図３及び図６に示すように、係止爪１７Ａが設けられている。係止爪１７Ａは、装着方向Ｙ１の反対側に撓み変形可能に設けられている。係止爪１７Ａは、図６に示すように、後述するアウターハウジング２０の係止部２３Ａに本係止するように設けられている。
【００２３】
アウターハウジング２０には、底面カバー部２３と、フロント部２４と、一対の側面カバー部２５と、ガイド溝２６と、膨出部２７と、前述したスペーサ部２１とが一体成形されている。底面カバー部２３は、インナーハウジング１０の装着方向Ｙ２とは反対側を覆う。底面カバー部２３の挿入方向Ｙ１とは反対側の端部には、膨出部２８が設けられている。膨出部２８は、装着方向Ｙ２とは反対側に向かって突出して設けられている。上記膨出部２８及び底面カバー部２３は、上記本係止突起１７が嵌め込まれる切欠部２９が形成されている。そして、この切欠部２９から底面カバー部２３の挿入方向Ｙ１とは反対側の端部に設けた係止部２３Ａが露出している。
【００２４】
フロント部２４は、底面カバー部２３の挿入方向Ｙ１側の端部に立設されている。フロント部２４は、図３及び図６に示すように、インナーハウジング１０の挿入方向Ｙ１側を覆うように設けられている。フロント部２４には、図１に示すように、各端子収容室１１に連通すると共に相手側の雄型端子が挿入される雄型端子挿入孔２４Ａが成形されている。
【００２５】
一対の側面カバー部２５は、底面カバー部２３の直交方向Ｙ３の端部に立設されている。一対の側面カバー部２５は、インナーハウジング１０の左右側面１５を覆うように設けられている。一対の側面カバー部２５は、図１に示すように、内側に仮係止溝２２Ａ、本係止溝２２Ｂが成形されている。
【００２６】
上述した仮係止溝２２Ａ及び本係止溝２２Ｂは各々、側面カバー部２５の挿入方向Ｙ１と反対側の端部より挿入方向Ｙ１に沿って一直線状に成形されている。膨出部２７は、側面カバー部２５の外側面に直交方向Ｙ３に向かって突出するように設けられている。ガイド溝２６は、側面カバー部２５の内側面の膨出部２７と対向する部分に装着方向Ｙ２に沿って設けられている。
【００２７】
上述した図示しない雌型端子は、電線がかしめ固定される圧着片と、スペーサ部と係止するスペーサ係止段部と、端子係止ランスと係止するランス係止段部と、相手側の雄型端子が侵入する筒部とが挿入方向Ｙ１に沿ってこの順に設けられている。
【００２８】
次に、上述したコネクタの組み付け手順について説明する。まず、ガイド溝２６にガイド突部１６を嵌め込んだ状態でアウターハウジング２０を装着方向Ｙ２側にスライドさせてインナーハウジング１０に装着する。このとき、スペーサ部２１がインナーハウジング１０の嵌合溝１３内に挿入される。
【００２９】
ガイド突部１６に沿ってアウターハウジング２０をスライドさせると、インナーハウジング１０に形成された係止突起１８がアウターハウジング２０の仮係止溝２２Ａで仮係止される。この仮係止位置において、スペーサ部２１は、端子収容室１１に対する雌型端子の挿入を許容するようになっている。
【００３０】
次に、雌型端子挿入孔１２から雌型端子を挿入方向Ｙ１に向かって挿入する。雌型端子が端子収容室１１内に完全に収容されると、端子係止ランスが雌型端子のランス係止段部を仮係止し、雌型端子が端子収容室１１に収容保持される。
【００３１】
最後に、アウターハウジング２０をさらに装着方向Ｙ２に押圧してスライドさせる。これにより、仮係止溝２２Ａと係止突起１８との仮係止がはずれ、インナーハウジング１０に成形された係止突起１８がアウターハウジング２０の本係止溝２２Ｂに係止され本係止位置となる。
【００３２】
また、上記スライドにより係止爪１７Ａが係止部２３Ａに達すると本係止突起１７が挿入方向Ｙ１とは反対側に撓んで、係止部２３Ａの挿入方向Ｙ１とは反対側をスライドする。
【００３３】
さらにアウターハウジング２０をスライドさせて、図６に示すように、係止爪１７Ａが係止部２３Ａを乗り越えると本係止突起１７が復元し、係止爪１７Ａと係止部２３Ａとが係止され本係止位置となる。このとき、膨出部２８が係止爪１７Ａの装着方向Ｙ２とは反対側に位置して本係止突起１７先端を覆うため、係止爪１７Ａによる係止が簡単に解除されないようになっている。
【００３４】
また、このとき、雌型端子のスペーサ係止段部がスペーサ部２１によって本係止される。このように、本係止位置において、スペーサ部２１は雌型端子を係止して、たとえ、係止端子ランスによる雌型端子の係止が解除されても、雌型端子が端子収容室から抜けないようになっている。
【００３５】
上述した実施形態によれば、底面カバー部２３の挿入方向Ｙ１とは反対側の端部にインナーハウジング１０を係止する係止部２３Ａを設けているので、雌型端子に接続された電線によって底面カバー部２０の挿入方向Ｙ１とは反対側の端部に離脱方向の力を加えられたとしても、係止が外れにくい。しかも、底面カバー部２３に係止部２３Ａを設けることにより、係止部２３Ａの装着方向Ｙ２の厚みを確保することができるため、より係止を外れにくくすることができ、インナーハウジング１０とアウターハウジング２０とを強固に係止することができる。
【００３６】
また、上述した実施形態によれば、アウターハウジング２０が、インナーハウジング１０の直交方向Ｙ３を挟む一対の側面カバー部２５と、を有しているので、装着方向Ｙ２と反対側、即ち電線が垂れ下がっている側にアウターハウジング２０とインナーハウジング１０との隙間Ｓが設けられることがないため、この隙間Ｓに電線が入り込み係止が解除される恐れがなく、より一層、インナーハウジング１０とアウターハウジング２０とを強固に係止することができる。なお、ガイド突起１６の側面を楔状にし（即ち、ガイド突部１６の側面カバー部２５側の幅を左右側面１５側の幅よりも広くなるように、ガイド突部１６を形成する）、ガイド溝２６のガイド突部１６に対応した形状（即ち、ガイド溝２６の側面カバー部２５側の溝幅を左右側面１５側の幅よりも広くなるように、ガイド溝２６を形成する）とすることでより確実に開きを防止することができる。
【００３７】
また、上述した実施形態によれば、アウターハウジング２０が、一対の側面カバー部２５の外側面に設けられた膨出部２７と、一対の側面カバー部２５の内側面の膨出部２７と対向する部分に装着方向Ｙ２に沿うように設けたガイド溝２６とを有し、インナーハウジング１０が、ガイド溝２６に嵌合されるガイド突部１６とを有しているので、ガイド溝２６がガイド突起１６に沿うようにアウターハウジング２０をインナーハウジング１０に装着することによりアウターハウジング２０とインナーハウジング１０との逆組付、組付けのズレを防止することができる。また、膨出部２７と対向する部分にガイド溝２６を設けることにより、ガイド溝２６の深さを確保することができ、より一層、装着作業を容易にすることができる。
【００３８】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３９】
【図１】本発明のコネクタのインナーハウジングとアウターハウジングとを示す分解斜視図である。
【図２】仮係止位置における図１に示すコネクタの背面図である。
【図３】図２のＩＩＩ−ＩＩＩ線断面図である。
【図４】図２のＩＶ−ＩＶ線断面図である。
【図５】本係止位置における図１に示すコネクタの背面図である。
【図６】図５のＶＩ−ＶＩ線断面図である。
【図７】図５のＶＩＩ−ＶＩＩ線断面図である。
【図８】従来のコネクタを示す分解斜示図である。
【符号の説明】
【００４０】
１０    インナーハウジング（ハウジング本体）
１１    端子収容室
１４    ロックアーム
１６    ガイド突部
２０    アウターハウジング（アウター部）
２１    スペーサ部
２３    底面カバー部
２３Ａ  係止部
２５    側面カバー部
２６    ガイド溝
２７    膨出部
Ｙ１    挿入方向
Ｙ２    装着方向
【図１】
2008171626.tif 000003
【図２】
2008171626.tif 000004
【図３】
2008171626.tif 000005
【図４】
2008171626.tif 000006
【図５】
2008171626.tif 000007
【図６】
2008171626.tif 000008
【図７】
2008171626.tif 000009
【図８】
2008171626.tif 000010